【手続補正書】
【提出日】令和3年7月21日(2021.7.21)
【手続補正１】
【補正対象書類名】明細書
【補正対象項目名】００１７
【補正方法】変更
【補正の内容】
【００１７】
いくつかの実施形態では、複数のセキュリティ保護可能なコンパートメントは、複数の商品用に構成可能である。このような構成および商品には、本用の本棚；書類用の薄い引き出し；小包用の大きい箱様の引き出し、ならびに自動販売機、コーヒーメーカ、ピザオーブン、およびディスペンサ用にサイズ設定したコンパートメントが含まれる。いくつかの実施形態では、複数のセキュリティ保護可能なコンパートメントは、予想される需要、行動パターン、サービスエリア、または輸送する商品の種類に基づいて不定に構成可能である。いくつかの実施形態では、複数のセキュリティ保護可能なコンパートメントは、温かい商品、冷たい商品、湿った商品、乾燥した商品、またはこれらの組み合わせもしくは派生形態に対して湿度および温度が制御される。いくつかの実施形態では、サービスには、定期購読サービス；処方箋サービス；マーケティングサービス；広告サービス；通知サービス；移動型の市場；要求されたサービス、注文されたサービス、または予定通りの配達サービスが含まれる。特定の実施形態では、予定通りの配達サービスには、例として、食料品、処方箋、飲料品、郵便物、書類などの特別な繰り返し配達が含まれる。いくつかの実施形態では、サービスはさらに：使用者が同じまたはほぼ同じ商品を同じ相互作用の中で受け取り、返送すること；（例えば署名済みの文書）；使用者が同じ相互作用の中で１セットの商品を受け取って異なるセットの商品を返送すること；（例えば製品の交換／返品、食料品、商品、書籍、記録物、ビデオ、映画、支払い取引など）；第三者の使用者が商品またはサービスの提供者に対して、別の場所にいる主な使用者に商品を準備し、輸送し、配達し、かつ／または回収するよう命令および／または許可を出すことを含む。いくつかの実施形態では、サービスはさらに、一般的なサービス（例えば使用者のドライクリーニングを集荷すること、使用者のドライクリーニングを届けること、商品（工具、ＤＶＤなど）をレンタルすること、商品を他の使用者または事業者と共有する／から借りるなど）を含む。またさらに、サービスは、他の使用者／事業者に輸送、返却、または送付する品目の一般的な集荷サービスなどであってよい。
【手続補正２】
【補正対象書類名】明細書
【補正対象項目名】００５１
【補正方法】変更
【補正の内容】
【００５１】
いくつかの実施形態では、車両フリート１００の車両１０１の１つ以上は、自律型である。いくつかの実施形態では半自律車両１０１は、オペレータによる手動コントローラであり得る。例えば、ナビゲーションの誤動作、納入者の在庫問題、または予期しない交通渋滞、機械的故障、電気的故障、交通事故および道路状況に対処するために、手動でのオーバーライドが必要なことがある。フリート１００の中の複数の自律車両１０１のいくつかの実施形態では、第三者の販売者またはサービス提供者に代わって操作される。第三者の販売者またはサービス提供者には、食料および飲料提供者が含まれてよい。
【手続補正３】
【補正対象書類名】明細書
【補正対象項目名】００６９
【補正方法】変更
【補正の内容】
【００６９】
いくつかの実施形態では、自律車両１０１はさらに、陳列ケースが自律車両から不正に取り外されるのを防止するように構成されたロックを備えている。いくつかの実施形態では、車両内固定具と陳列品固定具の少なくとも一方は、ロックを備えている。いくつかの実施形態では、自律車両１０１はさらに、自律車両、陳列ケース、エネルギー貯蔵装置、自律推進システム、またはこれらの任意の組み合わせに対する損傷を防止するように構成されたストレインリリーフを備えている。
【手続補正４】
【補正対象書類名】明細書
【補正対象項目名】００８６
【補正方法】変更
【補正の内容】
【００８６】
いくつかの実施形態では、フリート管理モジュール１３０１は、ナビゲーションモジュール１３０５を介して各々の車両１２０４を誘導する。いくつかの実施形態では、ナビゲーションモジュール１３０５は、運送システム１３０４を制御して構造のない開けた環境または閉じた環境の至るところで自律車両または半自律車両を走行させる。いくつかの実施形態では、ナビゲーションモジュール１３０５は、ＨＤ地図、気象条件、標高地図、デジタル地図、ストリートビュー写真、ＧＰＳポイント、またはこれらの任意の組み合わせを含む。いくつかの実施形態では、地図は、顧客、サービス提供者、フリートオペレータ、オンラインリポジトリ、公共データベース、またはこれらの任意の組み合わせによって生成される。いくつかの実施形態では、地図は、操作上の地理のみを意図して生成される。地図は、センサシステム１３０６によって取得されたデータによって拡大または確認されてよい。ナビゲーションモジュール１３０５はさらに、センサシステム１３０６によって収集されたデータを実装して、自律車両または半自律車両の場所および／または周囲を明らかにしてよい。いくつかの実施形態では、地図はさらに、車線、道路標識、交差点、勾配、またはこれらの任意の組み合わせを含むナビゲーションマーカを含む。そのため、ナビゲーションモジュール１３０５は、プロセッサおよび／または車両１２０４のアプリケーションと組み合わせて、安全で確固としたナビゲーション軌道を可能にする。
【手続補正５】
【補正対象書類名】明細書
【補正対象項目名】００９５
【補正方法】変更
【補正の内容】
【００９５】
モジュール式ユニット
本明細書の図１９Ａ〜図１９Ｄに提示する別の態様は、自律型または半自律型の陸上車両内に取り外し可能に設置されるように構成されたモジュール式ユニットであって、モジュール式ユニットの固定具１９４０と、モジュール式ユニットの電力口１９０２；モジュール式ユニットのデータ口１９０１；モジュール式ユニットの冷却／加熱口１９０３；およびモジュール式ユニットの排気口１９０４のうちの少なくとも１つとを備えている、モジュール式ユニット１８１０ａ、１８１０ｂである。
【手続補正６】
【補正対象書類名】明細書
【補正対象項目名】０１０６
【補正方法】変更
【補正の内容】
【０１０６】
図１８のいくつかの実施形態では、車両１０１は、２つ以上のモジュール式ユニット１８１０を受け入れるように構成される。いくつかの実施形態では、車両は、３〜２５のモジュール式ユニット１８１０を受け入れるように構成される。図１８のいくつかの実施形態では、モジュール式ユニット１８１０ａ、１８１０ｂは、消費者の製品をセキュリティ保護するように構成される。いくつかの実施形態では、消費者の製品には、食料品目、飲料品目、電子機器品目、衣料品目、またはこれらの任意の組み合わせが含まれる。いくつかの実施形態では、車両は、内コンパートメントを有し、車両内固定具１７４０は、モジュール式ユニット１８１０を内コンパートメントの中で可逆式に固定するように構成される。いくつかの実施形態では、車両内固定具１７４０は、モジュール式ユニット１８１０ａ、１８１０ｂを車両１０１に可逆式に固定するように構成される。いくつかの実施形態では、車両１０１はさらに、モジュール式ユニット１８１０ａ、１８１０ｂが車両１０１から不正に取り外されるのを防止するように構成されたロックを備えている。いくつかの実施形態では、車両内固定具１７４０は、ロックを備えている。いくつかの実施形態では、車両１０１はさらに、恒久的に固定されたモジュール式ユニット１８１０を備えている。恒久的に固定されたモジュール式ユニット１８１０は、棚、ディスプレイ、入力装置、またはこれらの任意の組み合わせを備えていてよい。
【手続補正７】
【補正対象書類名】明細書
【補正対象項目名】０１１８
【補正方法】変更
【補正の内容】
【０１１８】
いくつかの実施形態では、サービスには、これに加えて、またはさらに、商品を返送すること（例えば署名済みの文書）、１セットの商品を受領して別セットの商品を返送すること（例えば製品の交換／返品、食料品、商品、書籍、記録物、ビデオ、映画、支払い取引など）、または第三者の使用者が商品またはサービス提供者に対して、別の場所にいる主要使用者に商品を準備し、輸送し、配達し、かつ／または回収するよう命令および／または許可を出すことが含まれる。いくつかの実施形態では、サービスには、さらに、またはこれに加えて、広告サービス、土地調査サービス、パトロールサービス、監視サービス、交通調査サービス、標識および信号調査サービス、建築物、または道路インフラ調査サービスが含まれる。
【手続補正８】
【補正対象書類名】明細書
【補正対象項目名】０１２７
【補正方法】変更
【補正の内容】
【０１２７】
引き続き図１４を参照すると、ＣＰＵ１４０５は、プログラム、アプリケーション、および／またはソフトウェアに組み込まれた一連の機械可読命令を実行するように構成される。命令は、任意で、メモリ１４１０などのメモリロケーションに保存される。命令は、ＣＰＵ１４０５に向けられ、続いてＣＰＵ１０５は、本開示の方法を実施するようにＣＰＵ１４０５をプログラムするか、あるいはそのように構成する。ＣＰＵ１４０５によって実施される動作の例には、フェッチ、デコード、実行、およびライトバックが含まれる。ＣＰＵ１４０５は、場合によっては、集積回路などの回路の一部である。装置１４０１の１つ以上の他の構成要素は、任意で、回路に含まれる。場合によっては、回路は、特定用途向け集積回路（ＡＳＩＣ）またはフィールドプログラマブルゲートアレイ（ＦＰＧＡ）である。
【手続補正９】
【補正対象書類名】明細書
【補正対象項目名】０１６１
【補正方法】変更
【補正の内容】
【０１６１】
いくつかの実施形態では、デジタル処理装置は、使用者に視覚情報を送るためのディスプレイを備えている。いくつかの実施形態では、ディスプレイは、陰極線管（ＣＲＴ）である。いくつかの実施形態では、ディスプレイは、液晶ディスプレイ（ＬＣＤ）である。いくつかの実施形態では、ディスプレイは、薄膜トランジスタ液晶ディスプレイ（ＴＦＴ−ＬＣＤ）である。いくつかの実施形態では、ディスプレイは、有機発光ダイオード（ＯＬＥＤ）ディスプレイである。様々ないくつかの実施形態では、ＯＬＥＤディスプレイは、パッシブマトリクス型ＯＬＥＤ（ＰＭＯＬＥＤ）またはアクティブマトリクス型ＯＬＥＤ（ＡＭＯＬＥＤ）ディスプレイである。いくつかの実施形態では、ディスプレイは、プラズマディスプレイである。いくつかの実施形態では、ディスプレイは、ビデオプロジェクタである。いくつかの実施形態では、ディスプレイは、使用者の相互作用／身振り／応答などを検知してよい相互作用式のもの（例えばタッチ画面またはカメラ、３Ｄセンサ、ＬｉＤＡＲ、レーダなどのセンサを有するもの）である。さらにいくつかの実施形態では、ディスプレイは、本明細書に開示したもののような装置の組み合わせである。